(57)【要約】      （修正有）【課題】二灯直列形の蛍光灯器具において多種類のダミー管を製造することなく各メーカーの蛍光灯器具に迅速に対応できるようにした蛍光灯ダミー管を提供する。【解決手段】インバータ形安定器を備えた二灯直列形の蛍光灯器具の、２つのうちの一方の蛍光灯が装着されるソケット対の間に装着されて他方の蛍光灯を点灯させる蛍光灯ダミー管２０において、ソケット対の間に装着され、両端にソケットに電気的に接続される電極ピン２２Ａが設けられた管２２と、両端の電極ピンの間を接続し、他方の蛍光灯に通電する接続回路２３と、接続回路の途中に設けられたインダクタの接続端子２５と、接続端子に交換可能に接続され、インバータ形安定器の出力特性に応じて選択された抵抗成分を有するインダクタ２７と、を備える。【選択図】図２
0003150972.tif 000002
【実用新案登録請求の範囲】
【請求項１】
商用電源を電源とするインバータ形安定器の出力端の間に２つの通電回路を相互に直列の関係に接続し両通電回路の蛍光灯を点灯させるようにした二灯直列形の蛍光灯器具の、２つのうちの一方の蛍光灯が装着されるソケット対の間に装着されて他方の蛍光灯を点灯させる蛍光灯ダミー管において、
上記ソケット対の間に装着され、両端に上記ソケットに電気的に接続される電極ピン(22A)が設けられた管(21)と、
上記両端の電極ピン(22A)の間を接続し、上記他方の蛍光灯(12)に通電する接続回路(23)と、
該接続回路(23)の途中に設けられたインダクタの接続端子(24)と、
該接続端子(23)に交換可能に接続され、上記インバータ形安定器(10)の出力特性に応じて選択された抵抗成分を有するインダクタ(27)と、
を備えたことを特徴とする蛍光灯ダミー管。
【請求項２】
上記接続回路(23)に接続されたヒューズ(25)を更に備えた請求項１記載の蛍光灯ダミー管。
【請求項３】
上記接続回路(23)に接続された温度ヒューズ(26)を更に備えた請求項１記載の蛍光灯ダミー管。
【考案の詳細な説明】
【技術分野】
【０００１】
本考案は蛍光灯ダミー管に関し、特に二灯直列形の蛍光灯器具において多種類を製造することなく各メーカーの蛍光灯器具に迅速に対応できるようにしたダミー管に関する。
【背景技術】
【０００２】
オフィス、店舗、工場等では天井に多数の二灯形蛍光灯器具を取付けて室内全体を照明することがよく行われている。この二灯形蛍光灯器具には並列式と直列式とがあるが、性能及び価格の点で優れている直列式が普及しているのが実情である。
【０００３】
最近、省エネルギーが叫ばれ、蛍光灯器具に関しても、昼間等のように二灯による明るい照明を必要としないときには一灯を消灯して省電力を図ることが行われているが、直列式の二灯形蛍光灯器具では一灯を外すと、残りの一灯も消灯してしまう。
【０００４】
そこで、直列式の二灯形蛍光灯器具において、通常の蛍光灯に代え、蛍光灯器具の対向する２つのソケットの間を直流抵抗成分の小さい接続手段で接続する蛍光灯ダミー管を用い、残った一灯を点灯させ、消費電力を低減して省エネルギーを図ることが提案されている（特許文献１、特許文献２、特許文献３、特許文献４）。
【先行技術文献】
【特許文献】
【０００５】
【特許文献１】特開昭５３−４５０７１号公報
【特許文献２】実開昭５６−１３０２９６号公報
【特許文献３】特開２０００−２０８２３８号公報
【特許文献４】特開２００７−３１１２２６号公報
【考案の概要】
【考案が解決しようとする課題】
【０００６】
しかるに、蛍光灯器具ではインバータ形安定器の電気特性がメーカーや品番などによって異なることから、メーカー毎や品番毎にインバータ形安定器の電気特性を測定して接続手段の直流抵抗成分を選択してダミー管を製造しなければならず、実際には３０〜４０種類の蛍光灯ダミー管を製造し在庫しているのが実情であった。
【０００７】
本考案は、かかる点に鑑み、多種類を製造することなく各メーカー毎や品番毎の蛍光灯器具に対応できるようにした蛍光灯ダミー管を提供することを課題とする。
【課題を解決するための手段】
【０００８】
そこで、本考案に係る蛍光灯ダミー管は、商用電源を電源とするインバータ形安定器の出力端の間に２つの通電回路を相互に直列の関係に接続し両通電回路の蛍光灯を点灯させるようにした二灯直列形の蛍光灯器具の、２つのうちの一方の蛍光灯が装着されるソケット対の間に装着されて他方の蛍光灯を点灯させる蛍光灯ダミー管において、上記ソケット対の間に装着され、両端に上記ソケットに電気的に接続される電極ピンが設けられた管と、上記両端の電極ピンの間を接続し、上記他方の蛍光灯に通電する接続回路と、該接続回路の途中に設けられたインダクタの接続端子と、該接続端子に交換可能に接続され、上記インバータ形安定器の出力特性に応じて選択された抵抗成分を有するインダクタと、を備えたことを特徴とする。
【０００９】
本考案の特徴の１つは接続回路にインダクタの接続端子を設け、インダクタを交換できるようにした点にある。これにより、インバータ形安定器の電気特性に対応した直流抵抗成分のインダクタを選択して接続端子に取付けることによって各メーカー毎や品番毎の蛍光灯器具に応じた蛍光灯ダミー管を迅速に製造でき、従来のように多種類の蛍光灯ダミー管を製造し在庫しておく必要もない。
【００１０】
接続回路は導体線、例えば銅線によって構成してもよいが、ヒューズや温度ヒューズを接続するようにすると、蛍光灯ダミー管の信頼性を高めることができる。例えば、ヒューズによって過電流が流れるのを防止でき、温度ヒューズによって蛍光灯器具の過熱を防止できる。
【図面の簡単な説明】
【００１１】
【図１】本考案に係る蛍光灯ダミー管の好ましい実施形態を備えた蛍光灯器具の回路構成の１例を示す図である。
【図２】上記実施形態における蛍光灯ダミー管の構造の１例を示す図である。
【図３】上記実施形態において蛍光灯の背後に反射板を取付けた状態を示す図である。
【考案を実施するための形態】
【００１２】
以下、本考案を図面に示す具体例に基づいて詳細に説明する。図１及び図２は本考案に係る蛍光灯ダミー管の好ましい実施形態を示す。図において、電源回路は電源スイッチ（図示せず）を備え、商用電源の交流電圧を入力としている。電源回路の出力端Ｈ、Ｎは公知のインバータ形安定器１０の入力端１、２に接続され、インバータ形安定器１０の出力端子３〜８には高周波電圧が出力されるようになっている。
【００１３】
インバータ安定器１３の出力端３〜８には２つの通電回路１１Ａ、１１Ｂが相互に直列の関係に接続され、両通電回路１１Ａ、１１Ｂには蛍光灯ダミー管２０及び蛍光灯１２が接続されている。なお、通電回路１１Ａ、１１Ｂ及び蛍光灯１２は公知の構成であり、その詳細は省略している。
【００１４】
蛍光灯ダミー管２０ではポリスチレンパイプ製の管２１の両端に口金２２が固定され、口金２２にはソケットに電気的に接続される電極ピン２２Ａが固定されている。
【００１５】
対向する電極ピン２２Ａの間は銅線（接続回路）２３によって接続され、銅線２３の途中にはインダクタの接続端子２４が接続されるとともに、ヒューズ、例えば規格が２５０Ｖ、３Ａのガラス管ヒューズ２５及び温度ヒューズ、例えば規格が２５０Ｖ、１０Ａ、８０°Ｃの温度ヒューズ２６が接続されている。
【００１６】
インダクタの接続端子２５には約２０種類からインバータ形安定器１０の出力特性に応じて選択されたインダクタ２７が交換可能に接続されている。
【００１７】
他方、蛍光灯１２の背後には反射板３０が設けられるのが望ましい。この反射板３０は磁石３１によって蛍光灯器具のカバー３２に取付けられることができる。反射板３０の形状は特に限定されないが、本件考案者の開発に係る反射板（特開２０００−１０６０１５号公報）を採用すると、１灯点灯であるにもかかわらず、２灯点灯と同等の明るさを得ることができる。
【００１８】
以上のような本例の蛍光灯ダミー管では、銅線２３にインダクタの接続端子２５を設け、インダクタ２７を交換できるようにしたので、インバータ形安定器１０の出力特性に対応した直流抵抗成分のインダクタ２７を選択して接続端子２５に取付けることによって各メーカーの蛍光灯器具に応じた蛍光灯ダミー管２０を迅速に製造でき、従来のように多種類の蛍光灯ダミー管を製造し在庫しておく必要もない。
【００１９】
また、銅線２３にはヒューズ２５や温度ヒューズ２６を接続するようにしたので、例えばヒューズ２５によって過電流が流れるのを防止でき、温度ヒューズ２６によって蛍光灯器具の過熱を防止でき、蛍光灯ダミー管２０の信頼性を高めることができる。
【符号の説明】
【００２０】
１０      インバータ形安定器
１１Ａ、１１Ｂ      通電回路
１２      蛍光灯
２０      蛍光灯ダミー管
２１      管
２２      口金
２２Ａ    電極ピン
２３      銅線（接続回路）
２４      接続端子
２５      ヒューズ
２６      温度ヒューズ
２７      インダクタ
【図１】
0003150972.tif 000003
【図２】
0003150972.tif 000004
【図３】
0003150972.tif 000005